(57)【要約】【課題】  ワークの変位部を研削する際、その切粉が、ワークのジャーナル部を支持するレストとジャーナル部との間に侵入できないようにした研削装置を提供する。【解決手段】  研削装置は、カム部を研削した際の切粉が、上部レスト６ａとジャーナル部との間に侵入することを規制する切粉侵入規制手段１１として、上部レスト６ａに、上部レスト６ａとジャーナル部との接触部の周辺に高圧のクーラント液を吹き付けるためのクーラント液供給口１５、クーラント液通路１４及びクーラント液噴出口１３をそれぞれ複数設けており、上部レスト６ａとジャーナル部との接触部の周辺に飛散する切粉は、高圧のクーラント液により、上部レスト６ａとジャーナル部との接触部から遠くに吹き飛ばされるので、切粉が上部レスト６ａの接触面１６とジャーナル部の外周面との間から侵入するのを防止できる。【選択図】        図１
2006247798.tif 000002
【特許請求の範囲】
【請求項１】
ジャーナル部と該ジャーナル部の回転軸線から半径方向に変位した変位部とを有するワークの前記ジャーナル部をレストにより回転自在に支持すると共に、前記変位部を砥石により研削加工する研削装置において、
該研削装置は、前記レストと前記ジャーナル部との間への切粉の侵入を規制する切粉侵入規制手段を備えていることを特徴とする研削装置。
【請求項２】
前記切粉侵入規制手段は、前記レストに、前記レストと前記ジャーナル部との接触部の周辺に高圧のクーラント液を吹き付けるためのクーラント液通路を設けて構成されることを特徴とする請求項１に記載の研削装置。
【請求項３】
前記切粉侵入規制手段は、前記レストに、前記レストと前記ジャーナル部との接触部を覆う切粉排除カバーを取り付けて構成されることを特徴とする請求項１に記載の研削装置。
【発明の詳細な説明】
【技術分野】
【０００１】
本発明は、ワークのジャーナル部を複数のレストにより回転自在に支持すると共に、ジャーナル部の回転軸線から半径方向に変位した変位部を砥石により研削加工を行う研削装置に関し、特に、研削の際の切粉がジャーナル部とレストとの間に侵入しないように改良された研削装置に関するものである。
【背景技術】
【０００２】
例えば、ワークを、図４に示すように、ジャーナル部２と、該ジャーナル部２の回転軸線から半径方向に変位した各カム部３とを備えたカムシャフト４として例示し、このカムシャフト４の各カム部３を研削加工する従来の研削装置を説明する。
従来の研削装置は、図４〜図６に示すように、カムシャフト４のジャーナル部２を回転自在に支持する上部レスト６、中間部レスト７及び下部レスト８と、カムシャフト４の半径方向で、各カム部３の延長線上に配置されると共に、各カム部３に対して進退移動して、その外形を研削加工する各砥石１０とを備えている。
そして、カムシャフト４の各カム部３を研削する際には、カムシャフト４を矢印Ｂ方向に回転させると共に、各砥石１０を各カム部３に対して矢印Ｃ方向に進退動作させると同時に、クーラント液を研削面に吹きつけて、各カム部３を研削するようにしていた。
【０００３】
しかしながら、各カム部３が研削される際には、図６に示すように、細かい切粉（研磨カス）５がクーラント液と共に飛散して、上部レスト６の接触面９とジャーナル部２の外周面との間に侵入してしまい、侵入した切粉は、粗材に含まれる球状黒鉛に刺さり、黒鉛と共に脱落して、ジャーナル部２の外周面を傷つけてしまうことがあった。
【０００４】
そこで、カムシャフトのカム部を研削する研削加工機械の従来技術として特許文献１には、カムシャフトが工作主軸により回転され、カム部に対し砥石台に装着されカム部と反対方向に回転する砥石車により研削加工を行う研削加工機械が開示されている。
すなわち、この特許文献１には、砥石車を覆う砥石カバーが設置されており、この砥石カバーに、ブラケットを介して研削液を供給する配管が設けられ、この配管には、その基端に研削液供給装置が、その先端に研削液供給ノズルがそれぞれ接続されている。そして、研削液供給ノズルは、その噴射口から噴出される研削液と砥石表面との接触点である研削液供給点が、砥石車の回転方向において上下に変動する研削点の上流側になるように配置されていることが開示されている。
【特許文献１】特開２００４−３２２２６８号公報
【発明の開示】
【発明が解決しようとする課題】
【０００５】
しかしながら、特許文献１の研削加工機械の発明は、単に、研削液供給ノズルを、研削液供給点が、変動する研削点の上流側になるように配置して、研削液の流量や砥石軸モータ動力を低減させるようにしたもので、この特許文献１の発明に係る研削液の供給方式を、図４及び図５に示す従来の研削装置に適用したとしても、上部レスト６の接触面９とジャーナル部２の外周面との間への切粉５の侵入を防ぐことはできない。
【０００６】
本発明は、かかる点に鑑みてなされたものであり、ワークの変位部を研削する際、その切粉が、ワークのジャーナル部を支持するレストとジャーナル部との間に侵入できないようにした研削装置を提供することを目的とする。
【課題を解決するための手段】
【０００７】
本発明は、上記課題を解決するための手段として、請求項１に記載した研削装置の発明は、ジャーナル部と該ジャーナル部の回転軸線から半径方向に変位した変位部とを有するワークの前記ジャーナル部をレストにより回転自在に支持すると共に、前記変位部を砥石により研削加工する研削装置において、該研削装置は、前記レストと前記ジャーナル部との間への切粉の侵入を規制する切粉侵入規制手段を備えていることを特徴とするものである。
請求項２に記載した研削装置の発明は、請求項１に記載した発明において、前記切粉侵入規制手段は、前記レストに、前記レストと前記ジャーナル部との接触部の周辺に高圧のクーラント液を吹き付けるためのクーラント液通路を設けて構成されることを特徴とするものである。
請求項３に記載した研削装置の発明は、請求項１に記載した発明において、前記切粉侵入規制手段は、前記レストに、前記レストと前記ジャーナル部との接触部を覆う切粉排除カバーを取り付けて構成されることを特徴とするものである。
【０００８】
従って、請求項１に記載した研削装置の発明では、ワークを回転させながら、砥石を進退動作させて、ワークの変位部を研削する際、クーラント液と共に飛散する切粉が、レストとジャーナル部との間に侵入することが防止される。
請求項２に記載した研削装置の発明では、クーラント液と共に、レストとジャーナル部との間の接触部付近に飛散される切粉に、レストに設けたクーラント液通路から高圧のクーラント液が吹き付けられるため、切粉はレストとジャーナル部との接触部から遠ざかり、切粉のレストとジャーナル部との間への侵入が防止される。
請求項３に記載した研削装置の発明では、クーラント液と共に、レストとジャーナル部との間の接触部付近に飛散される切粉は、切粉排除カバーに干渉するために、切粉のレストとジャーナル部との間への侵入が防止される。
【発明の効果】
【０００９】
本発明によれば、ワークの変位部を研削する際、切粉が、ワークのジャーナル部を支持するレストとジャーナル部との間に侵入できないようにした研削装置を提供することができる。
【発明を実施するための最良の形態】
【００１０】
以下、本発明を実施するための最良の形態を図１〜図３に基いて、図４及び図５も参照しながら詳細に説明する。従来例と同一部材は同一の符号を使用して説明する。
本発明の実施の形態に係る研削装置は、図４及び図５に示すように、カムシャフト（ワーク）４のジャーナル部２が上部レスト６ａ、中間部レスト７及び下部レスト８により回転自在に支持されると共に、各カム部（変位部）３がカムシャフト４の回転軸線から半径方向に進退自在な各砥石１０により研削加工されるように構成されており、さらに、本研削装置は、図１及び図２に示すように、各カム部３を研削した際の切粉５が、上部レスト６ａとジャーナル部２との間に侵入することを規制する切粉侵入規制手段１１を備えている。
【００１１】
カムシャフト４は、図２に示すように、そのジャーナル部２の外周面が、上部レスト６ａ、中間部レスト７及び下部レスト８のそれぞれの接触面１６、７ａ、８ａに当接されており、これら上部レスト６ａ、中間部レスト７及び下部レスト８により回転自在に支持されている。
上部レスト６ａは、下端にジャーナル部２の外周面との接触面１６を有し、板状で略直線状に延びる第１上部レスト１７と、この第１上部レスト１７の上端から砥石１０（図５参照）が配置される側とは反対側に略直線状に延びる板状の第２上部レスト１８とからなり、略Ｌ字状のブロック体に形成されている。そして、上部レスト６ａの第１上部レスト１７の下端の接触面１６が、ジャーナル部２の外周面の略上側に当接されている。
中間部レスト７は、板状で略直線状に形成されており、横設され、その端面の接触面７ａがジャーナル部２の外周面で、砥石１０（図５参照）が配置される側とは反対側に当接されている。
下部レスト８は、板状で略直線状に形成されており、立設され、その上端面の接触面８ａがジャーナル部２の外周面の略下側に当接されている。
【００１２】
各カム部３には、図４及び図５に示すように、カムシャフト４の半径方向の延長線上に、各カム部３に対応する砥石１０が複数配設されている。これらの砥石１０は、カムシャフト４の半径方向に進退自在に構成されており、カムシャフト４の回転角度により各砥石１０の進退距離が制御されて、各カム部３が所定形状に研削加工される構成となっている。
【００１３】
さらに、切粉侵入規制手段１１は次のように構成されている。すなわち、図１及び図２に示すように、上部レスト６ａで、その第１上部レスト１７のジャーナル部２の外周面との接触面１６には、カムシャフト４の回転方向Ｂと対向するような傾斜面１２が連続して延設されている。この傾斜面１２にクーラント液噴出口１３が複数形成されている。また、この傾斜面１２に連続する第１上部レスト１７の上側面に沿ってその内部には、各クーラント液噴出口１３と連通するクーラント液通路１４が複数形成されている。さらに、上部レスト６ａの第１上部レスト１７の上側面から連続する第２上部レスト１８の上面には、各クーラント液通路１４に連通し、図示しないクーラント液供給装置から高圧のクーラント液が供給されるクーラント液供給口１５が複数形成されている。
そして、各カム部３（図４参照）が各砥石１０（図４参照）により研削加工される際には、高圧のクーラント液が、クーラント液供給装置から第２上部レスト１８の上面に設けた複数のクーラント液供給口１５に供給され、さらに第１上部レスト１７の上側面に沿って設けた複数のクーラント液通路１４を経て、第１上部レスト１７の傾斜面１２に設けた複数のクーラント液噴出口１３から上部レスト６ａとジャーナル部２との接触部の周辺のジャーナル部２の外周面に向って噴出されるようになる。
【００１４】
したがって、図２に示すように、カムシャフト４を矢印Ｂ方向に回転させると同時に、各砥石１０（図４参照）がカムシャフト４の半径方向に進退動作されて、各カム部３（図４参照）が研削加工される際、その切粉５がクーラント液と共に飛散して、上部レスト６ａとジャーナル部２との接触部に接近しても、上部レスト６ａに設けた各クーラント液噴出口１３から噴出される高圧のクーラント液によって、切粉５が上部レスト６ａとジャーナル部２との接触部から遠くに吹き飛ばされ、ジャーナル部２の外周面が洗浄される。
【００１５】
以上説明したように、本発明の実施の形態に係る研削装置は、切粉侵入規制手段１１として、上部レスト６ａに、上部レスト６ａとジャーナル部２との接触部の周辺に高圧のクーラント液を吹き付けるためのクーラント液供給口１５、クーラント液通路１４及びクーラント液噴出口１３をそれぞれ複数設けている。
これにより、各カム部３が各砥石１０により研削加工される際、その切粉５が、上部レスト６ａとジャーナル部２との接触部付近に飛散して、上部レスト６ａの接触面１６とジャーナル部２の外周面との間から侵入しようとしても、上部レスト６ａとジャーナル部２との接触部の周辺には、上部レスト６ａの各クーラント液噴出口１３から高圧のクーラント液が吹き付けられており、切粉５は上部レスト６ａとジャーナル部２との接触部から遠くに吹き飛ばされると共に、ジャーナル部２の外周面が洗浄されるので、切粉５が上部レスト６ａの接触面１６とジャーナル部２の外周面との間から侵入するのを防止でき、切粉５によってジャーナル部２の外周面が傷付けられることを抑制できる。
【００１６】
次に、本発明の実施の形態に係る研削装置の切粉侵入規制手段１１の他の実施形態を、図３に基いて説明する。
図３に示す切粉侵入規制手段１１は、略Ｌ字状に形成された上部レスト６ｂに、ジャーナル部２との接触面１９から連続する第１上部レスト１７ａの上側面を覆い、第１上部レスト１７ａの接触面１９からジャーナル部２に向って突出するように、上部レスト６ｂとジャーナル部２との接触部を覆う切粉排除カバー２０が取り付けられて構成されている。
この切粉排除カバー２０は、上部レスト６ｂとジャーナル部２との接触部を覆うように延びており、さらに、ジャーナル部２の外周面に、内周面が当接される湾曲部２１を有している。
切粉侵入規制手段１１が上述のように構成された場合には、各カム部３が研削加工される際に飛散される切粉５は切粉排除カバー２０に干渉するために、切粉５が上部レスト６ｂの接触面１９とジャーナル部２の外周面との間から侵入することはない。
【００１７】
なお、切粉侵入規制手段１１は、上部レスト６ａの第１上部レスト１７の内部に、高圧のクーラント液を上部レスト６ａとジャーナル部２との接触部の周辺に吹き付けるための各クーラント液通路１４を設けた第１の構成（図１参照）、又は上部レスト６ｂの第１上部レスト１７ａの上側面に切粉排除カバー２０を取り付けた第２の構成（図３参照）からなることを説明をしたが、その他の実施形態として、図示はしないが、高圧のクーラント液が供給される配管を別途設け、例えば、この配管を図３において切粉排除カバー２０を取り外した状態の上部レスト６ｂの第１上部レスト１７ａの上側面に沿って、配管のクーラント液噴出口が上部レスト６ｂとジャーナル部２と接触部の周辺に配置されるように設置して、このクーラント液噴出口から高圧のクーラント液を上部レスト６ｂとジャーナル部２との接触部の周辺のジャーナル部２の外周面に向って噴出させる形態としてもよい。
【００１８】
さらに、本研削装置は、ジャーナル部２及びジャーナル部２の回転軸線から半径方向に変位した各カム部３を備えたカムシャフト４において、その各カム部３を研削加工する装置であることを説明したが、本研削装置は、ジャーナル部及びジャーナル部の回転軸線から半径方向に変位したピン部を備えたクランクシャフトで、そのピン部を研削加工する装置としても適用することができる。
【図面の簡単な説明】
【００１９】
【図１】図１は、本発明の実施の形態に係る研削装置の構成である切粉侵入規制手段を示す斜視図である。
【図２】図２は、上部レストとジャーナル部との接触部付近に飛散された切粉が吹き飛ばされる様子を示した図である。
【図３】図３は、切粉侵入規制手段の他の実施形態を示す斜視図である。
【図４】図４は、カムシャフトの各カム部が各砥石で研削される状態を示した上面図である。
【図５】図５は、図４のＡ−Ａ線に沿う断面図である。
【図６】図６は、上部レストとジャーナル部との間に切粉が侵入する様子を示した図である。
【符号の説明】
【００２０】
２  ジャーナル部，３  カム部（変位部），４  カムシャフト（ワーク），５  切粉，６ａ、６ｂ  上部レスト，１６、１９  接触面，７  中間部レスト，８  下部レスト，１０  砥石，１１  切粉侵入規制手段，１２  傾斜面，１３  クーラント液噴出口，１４  クーラント液通路，１５  クーラント液供給口，２０  切粉排除カバー
【図１】
2006247798.tif 000003
【図２】
2006247798.tif 000004
【図３】
2006247798.tif 000005
【図４】
2006247798.tif 000006
【図５】
2006247798.tif 000007
【図６】
2006247798.tif 000008